(57)【要約】【課題】ウエットスーツへの着用時の手足の挿入が、手足を痛めることなく、慣れない使用者であっても容易に行うことができ、又製作コストもかからないウエットスーツ着用補助具を提供する。【解決手段】テフロン(登録商標)シート等のポリフッ化エチレンシート（２）で、一方を開口した袋体に構成したウエットスーツ着用補助具（１）であり、袋体に手又は足を入れてウエットスーツの袖口或いは足首口を通してから袋体を外してウエットスーツを着用する。袋体の長さを手首又は足首までの長さとしている。表裏面で摩擦係数が異なり、小摩擦係数面が表面となる。【選択図】図１
0003103338.tif 000002
【実用新案登録請求の範囲】
【請求項１】
テフロン(登録商標)シート等のポリフッ化エチレンシート（２）で、一方を開口した袋体に構成したものであり、袋体に手又は足を入れてウエットスーツの袖口或いは足首口を通してから袋体を外してウエットスーツを着用するウエットスーツ着用補助具。
【請求項２】
テフロン(登録商標)シート等のポリフッ化エチレンシート（２）で、一方を開口した袋体に構成し、袋体の長さを手首又は足首までの長さとしたことを特徴とする請求項１記載のウエットスーツ着用補助具。
【請求項３】
表裏面で小摩擦係数面（２１）と大摩擦係数面（２２）との摩擦係数の異なるテフロン(登録商標)シート等のポリフッ化エチレンシート（２）を用いて、小摩擦係数面（２１）が表面となるように袋体にしたことを特徴とする請求項１又は請求項２に記載のウエットスーツ着用補助具。
【請求項４】
前記袋体は、裏面を薬品処理等で粗面化して端部が接合するようにテフロン(登録商標)シート等のポリフッ化エチレンシート（２）を重ね合わせて接着したことを特徴とする請求項１又は請求項２又は請求項３のいずれかに記載のウエットスーツ着用補助具。
【考案の詳細な説明】
【技術分野】
【０００１】
本考案は、ウエットスーツを容易に着用するためのウエットスーツ着用補助具に関するものである。
【０００２】
従来、ウエットスーツは、首部や、足首口や袖口（手首口）から海水が浸入しないような水密性や、緊縮性を備えていることがその利用目的から基本特性とされている。
例えば、足首口や袖口（手首口）は、細くしっかりと締まる形状である。
身体との水密緊縮性や、保温性や、フィット感などから、近時においてはネオプレンゴムの組成のほか、種々の表裏生地などの素材が開発されており、アルミ微粉末等の金属微粉末を繊維に練りこんだ裏生地なども開発され、或いは縫製技術の進化からその緊縮性の強化を更に推し進めたウエットスーツも開発されている。
【０００３】
このように、素材と縫製の両面から水密性や緊縮性の強化に伴い、ウエットスーツは個人体型に合わせてフィットしたものとなり、必然的に着用時のみに着眼すると、ウエットスーツ内部面の摩擦抵抗の増大を招き、ウエットスーツ内部に足や腕を通し、足首口や袖口から抜き通す着用動作が熟練者においても手間取り、ビギナーや女性では着用に苦労することもしばしばである。
特に冬場の着用時に、細い形状の足首口から乾いた足を出すときには、裏生地の摩擦抵抗が大きく、滑らず、引っかかって引き出すのが手間取り、たいへん苦労していた。
【０００４】
このような状況を打開すべくウエットスーツ内部裏面の摩擦係数をある程度低く抑えることで一応の解決を得ようとする開発方針も見受けられる。
この解決方法によれば、確かに手足のウエットスーツへの挿入容易性に有用な一面がありそれをあえて否定する必要はない。
しかし、このようなウエットスーツ裏地でも、実態は、水が介在しないと、なかなか滑らず、着にくいという課題が残っていた。
【０００５】
つまり、裏地の摩擦軽減だけでは汎用性はまだ弱いもので、この摩擦抵抗の減少効果は、現実に実感できるのは、ウエットスーツと身体との間に水分が介在し、これを媒介とした夏季などの状況に限られていた。
【０００６】
本考案は、特にこのような水を媒介として利用できる条件であることが実際ほとんど期待できないことが想像されるウエットスーツの着用時であっても、その着用容易性を飛躍的に高めることが可能な、ウエットスーツ着用時に利用される手軽なウエットスーツ着用補助具を開発するものである。
【背景技術】
【０００７】
従来本件発明者は、前述のようにウエットスーツの着用を容易にする発明、考案の内容としてその内部面自体を摩擦係数の低い素材で構成することを研究していた。
【０００８】
確かに、ウエットスーツの内部完結的な問題として処理するほうが、簡便であることに間違いはなく、この利便性を重視しながら十分な問題が解決できる程度にあるならばそれをあえて否定する必要は無い。
当業者は素材改良に方針を定めていたが、しかし、そのような考察の方向性、すなわち形式的、基礎的な効率化認識に限定された考察は、ウエットスーツ着用具の着用性をより高めるため、着用補助具を用いるという発想の転換、拡張がその考察の対象から外れていた。
【０００９】
一方、着やすさを追求する技術には、一般的に衣服の着用を補助する袖通し補助具というようなものも存在する(実開平７−１９３１４号公報)が、これは幼児用に袖口を広げるもので、緊縮性乃至摩擦性に対応する考察ではない。
公知の類似技術は皆無であった。
【００１０】
ウエットスーツは近年急速に大衆レジャー化が進行している事実があり、着用容易性をより高くし、そして年齢や性別に関係することなく実現できるようにすることは、マリンスポーツの促進に大きく貢献しうることは疑いの無いところであるといえる。
【００１１】
しかし、上述のような従来のウエットスーツ着用の容易性を高める技術は、ウエットスーツ生地の緊縮性乃至摩擦性に対応する工夫と矛盾するためか、本件出願人が知見するかぎり見あたらなかった。
【００１２】
ウエットスーツの機能については、動的にその特性を考察すべきであり、又ウエットスーツの着用性に関する問題点を生地の摩擦低減化に於いてのみによって解決することは、ウエットスーツの着用性をより高めても、むしろウエットスーツの他の特性を損ねてしまいかねない。
【００１３】
そのような考察経過の中で、出願人は、裏地の開発から視点を変えて、ウエットスーツの着用時にまず足に靴下を履いて、ウエットスーツの足首口から足を送り出して着用の動作を試行し、ウエットスーツの足首口から足を出した後で、靴下を脱いで、ウエットスーツを着用することを試みた。
【００１４】
又、通常の合成樹脂製の買物袋や多数の素材の袋を履いて、足首口から足を押し出してウエットスーツを着用することを試みた。
【００１５】
これらの公知の物品を応用した試行では、素足のときよりはある程度のスムーズさで、足を通すことができたが、やはり靴下では逆に靴下が取れなくなる失敗や、靴下素材の耐久性や摩擦性に問題があり、又合成樹脂製の袋ではやはり滑りが悪く、さらには破損して使用できないなどの課題が残った。
【００１６】
具体的に観て見ることにする。
これまで緊縮性乃至摩擦性についての考察では、ウエットスーツの内部面の摩擦抵抗を減らすための構造的工夫、質的工夫を行ってきた。
【００１７】
このような工夫は、確かにウエットスーツの問題点をある程度抽出、認識している現われといえる。
ウエットスーツ内部素材、構成の高品質化、つまり摩擦係数を何等かの手段により減少させて身体のウエットスーツに対する進入をスムーズに行うことができるようにする点で優れている。
【００１８】
しかしながら、素材品質つまり摩擦係数はその使用頻度による磨耗等によって二次曲線的に劣化し摩擦係数が大きく変化することが認められている。
【００１９】
このようなことを防止して適切な摩擦係数を維持する生地を要求することはウエットスーツ自体の単価を必然的に高める方向に導きコスト削減に寄与しない。
ウエットスーツは、熟練した技術を持った業者が手作業で制作することが多いことから、その要求に十分に応えられたとしてもコストは非常に重要であるといわざるを得ない。
【００２０】
更に機能的な問題として、ウエットスーツはウエットスーツと身体との間に薄い水の層を構成することで、その水を身体温により温めて保温する機能があり、摩擦抵抗を減らしすぎることで水の層を形成するウエットスーツが、あまりすべらかな裏地にすると身体に密着してしまう場合も想定でき、ウエットスーツの他の機能との調和の問題が発生する。
【００２１】
そしてなによりも、従来の開発方向が、ウエットスーツ全体の着用容易性については研究されていたとしても、身体の一部である足や手をウエットスーツに通す際の状況を個別な課題としては着目していなかった。
【００２２】
現実には、ウエットスーツの着用は、夏場は、ウエットスーツを水で濡らして着用することもあるが、大半は海岸に到着して、車中や、すぐその場で着替える場合が多い。
脱衣所や室内で着用することも多い。そして、冬季などには特に脱衣してすぐにウエットスーツを着用するものである。そのとき真水、海水等を体に塗ってから着ることは考えないことが通常である。
【００２３】
身体もウエットスーツも乾燥した状態で、車内で着替えたり浜辺で着替えたり、脱衣所で着替えたり、することが当然に行われている。
現実には、ウエットスーツを着用する大半の場合が、身体又はウエットスーツを水でぬらして、身体挿入のため潤滑の役割を果たすための「水の使用」は期待することはできないのである。
【００２４】
寒い季節に、自動車の脇等で着替えるケースのように屋外でウエットスーツに着替えることは現実にはよく行われている。
その行為を観察すると、寒い野外で、上半身はまだしも、下半身を露出させた状態でウエットスーツに足を挿入する行為を行う際、片足で立ったまま、思うように挿入できないでいることがある。これは想像以上の苦痛であり、不慣れなビギナーにおいてはこのような感覚は倍増し、ひいてはマリンスポーツへの興味や振興を大きく阻害するものである。
大きな課題として認識されるべきであった。
【００２５】
因みに、被服やウエットスーツの着用の容易性を課題とするものには、次のような公知文献がある。
【特許文献１】特表２００１−５１２７０８号公報                                            実開平７−１９３１４号公報
【考案の開示】
【考案が解決しようとする課題】
【００２６】
本考案が解決しようとする課題として主に以下の５項目が挙げられる。
【００２７】
１、ウエットスーツの持つ機能や保温性等に影響を与えないで、乾燥した足や手をウエットスーツの袖口（手首口）や足首口にスムーズに通して着用を容易にできる補助具を提供する。
【００２８】
２、上記１のために用いられるウエットスーツ着用時の補助具について、形状の最適化をはかり、着用容易性だけでなく抜取り利便性をも高める。
【００２９】
３、ウエットスーツ着用時の補助具を、ウエットスーツの袖口や足首口の緊縮性乃至摩擦性から生じる摩擦力に耐え得る強度と、同時にその摩擦力でもその使用が何度でも使用できる耐久性がある機能にする。
【００３０】
４、ウエットスーツ着用時に補助具を使用するときに、足指等による局所力を分散し、破損しないような耐久性高める構成にする。
【００３１】
５、ウエットスーツ着用時に補助具の挿入と取外しの安定性を高める。
【００３２】
ウエットスーツ着用補助具の上記の課題を解決するに際して、最も大切なことは水を媒介とすることなく任意のウエットスーツに対して効率よく身体をウエットスーツに挿入することができる補助具を提供することである。
【００３３】
本考案は、このような背景のもとで、ウエットスーツの着難さを解消するウエットスーツ着用時の補助具の開発を課題としたものである。
【課題を解決するための手段】
【００３４】
本考案は、ポリフッ化エチレン（又はポリテトラフルオロエチレン）であるテフロン(登録商標)のシート等で一方を開口した袋体に構成し、袋体は手首又は足首までの長さとしたことを特徴とする構成であって、袋体に手又は足を入れてウエットスーツの袖口或いは足首口を通し、通したのち袋体を外して、ウエットスーツを着用するウエットスーツ着用補助具である。
手用の袋体と足用の袋体は、その形状や寸法を異にするが、これを装着してウエットスーツの袖口や足首口を通すという使い方は同じである。
【００３５】
ポリフッ化エチレンのシートは、動摩擦係数０，０５で、静摩擦係数０，０１５〜０，０２程度で、くっつきにくくて、すべすべしている性質がある。
又、極端に伸延性が低く、つまりのびない素材である。
本考案の補助具で使用するポリフッ化エチレンのシートは、厚さが、０，０５ｍｍ〜０，１ｍｍ位である。好ましくは０，０５ｍｍの薄手が感触がよい。
【００３６】
ウエットスーツ着用補助具（１）は、テフロン(登録商標)シート等のポリフッ化エチレンシート（２）をもって袋体に構成される。
形状は、ウエットスーツへの挿入時に手足が、ウエットスーツ着用補助具（１）から摩擦等による外圧によって外れてしまわないような袋形状であればよい。
足についての補助具（１）であれば短ソックス状、手についての補助具（１）であれば浅い手袋状が好ましい。
勿論、手と足がそれぞれ入れば良いので、袋体であれば、形状を問うものではない。
袋の形状はソックス状や、台形に限らず、球型、三角錐型、四角錐型、円柱型、円錐型、角柱型、角錐型、等いかなる形態でもよい。
【００３７】
ウエットスーツ着用補助具（１）の製造に当たっては、例えば足用の補助具（１）であるときはテフロン(登録商標)シート等のポリフッ化エチレンシート（２）を台形状或いは短ソックス状に２枚切断して、同形のテフロン(登録商標)シート等のポリフッ化エチレンシート（２）を重ね合わせ、開口部を残して周縁端部を、接着剤、熱溶着、圧着、縫いつけ、構造的結合、等の適宜手段をもって袋体に張り合わせて作成する。
【００３８】
一枚のテフロン(登録商標)シート等のポリフッ化エチレンシート（２）を折り重ねて、開口部を残して周縁端部を接合して作成することでもよく、更に複数枚を複雑な構造に組合せる構成でもよい。
さらには、例えばテフロン(登録商標)シート等のポリフッ化エチレンシート（２）をテープ状にして、袋体に織り込むことでもよい。
もとより一枚の成型袋となっている構成でもよい。
【００３９】
テフロン(登録商標)シート等のポリフッ化エチレンシート（２）は、表裏面で摩擦係数の異なるものを選択している。
表面を小摩擦係数面（２１）とし、裏面を大摩擦係数面（２２）としている。
小摩擦係数面（２１）は、動摩擦係数０，０５程度のテフロン（登録商標）の表面を指す。
【００４０】
そして、少なくとも、袋体に接合する内面の周縁部は、接着剤が効くように粗面化している。大摩擦係数面（２２）にすることや粗面化は薬品処理して形成することができる。
テフロン(登録商標)シート等のポリフッ化エチレンシート（２）の袋体の補助具（１）は、小摩擦係数面（２１）が表面となるように張り合わせる。
【００４１】
図１は、足用の補助具（１）であって、テフロン(登録商標)シート等のポリフッ化エチレンシート（２）を素材として高さ２５Ｃｍ、長さ３５Ｃｍの台形袋体にしたものである。
補助具（１）＝袋体の長さは、手首又は足首まで入るような長さであるが、これは手首近傍、足首近傍という意味であり、例えば、図５と図６に示すそれぞれの補助具（１）のような長さの寸法例も含む。
【００４２】
テフロン(登録商標)シート等のポリフッ化エチレンシート（２）を素材とした小摩擦係数面（２１）は、一般的に用いられるウエットスーツの内部面との摩擦抵抗はきわめて小さく、足を入れて差し込んでも、引っかかりがなく、ウエットス−ツの足首口（４）から容易に出すことができる。
【００４３】
袋体の補助具（１）の表面は、摩擦抵抗が少ないのみならず、一方向のみに進行しやすい又はそれを助ける形状でも良い。
これはウエットスーツ内を一方方向のみの進入のしやすさを考慮すればよいからである。
【００４４】
例えば補助具（１）の形状としては、矢印状が考えられる。先端部は丸みを持って形成するのが好ましい。
差込進行に支障がなければ、小摩擦係数面（２１）に突起状、格子状、ストライプ状等の凹凸があっても差し支えないし、模様や色彩を施してもよい。
破損することがなければ、小摩擦係数面（２１）には、空気抜き用の単数、複数の孔が開けられていてもよい。
小摩擦係数面（２１）を構成するテフロン(登録商標)シート等のポリフッ化エチレンシート（２）はその厚さが均等でなくてもよく、小摩擦係数面（２１）側に波打っていてもよい。
デザイン的加工は、任意にできる。
【００４５】
補助具（１）である袋体の内部の大摩擦係数面（２２）には手や足のカバーや衝撃を和げるために、薄層のスポンジ等の緩衝層が備えられていても良い。
靴下を履いたままで、さらにその上から補助具（１）を装着して、ウエットスーツを着用することなどもできる。
【００４６】
台形袋体の形状は種々のものができるし、他の機能を付加することもできる。
例えば、補助具（１）である台形袋体の上辺（３）はウエットスーツ内から引っ張り出せるように取手が設けられていてもよい。
補助具（１）は、ウエットスーツを着るときに、右足、左足、と順次使用できるので、１個以上備えていれば問題ない。
【００４７】
袋体の内部には、図３のように指挿入部（３１）を設けた形態も提供する。
指挿入部（３１）は手足を挿入する際に台形袋体上辺（３）に局部的に負荷がかかることを防止するため指が挿入できるように設けたものである。
このような力の分散を図ることによって、ウエットスーツ着用補助具（１）の装着感を快適にし、耐久性を高めることができる。
【００４８】
袋体の先端である台形袋体上辺（３）には、空気孔（３２）が設けられ、ウエットスーツにウエットスーツ着用補助具（１）を以って手足を進入させる際に、一時的にウエットスーツ内がウエットスーツ着用補助具（１）を仕切りとして分断され気圧の変化がおき、音が発生することや、或いはその空気圧抵抗が発生し着用の容易性を損なうことを防ぐものである。
空気孔（３２）はウエットスーツ着用補助具（１）に、任意の数だけ設けても良い。
【００４９】
図２・図３に示す環状固形物（ガイド）（３３）は環状の固形物をウエットスーツ着用補助具（１）の先端近傍に取り付けたものである。
環状固形物（ガイド）（３３）は、進行をガイドするためのもので、テフロン(登録商標)シート等のポリフッ化エチレンシート（２）自体を少し固形化し、環状にする構成でもよい。
環状固形物（ガイド）（３３）を設けることにより、進入の契機が得られ、初期進入時に高負荷がかかる現象を回避しやすくなる。
接着剤による接着により自ずと周縁接着部が固形化するので、これを利用してもよい。
【００５０】
図４の星状固形物（ガイド）（３４）は星状の固形物をウエットスーツ着用補助具（１）の先端近傍に取り付けたものである
テフロン(登録商標)シート等のポリフッ化エチレンシート（２）自体を少し固形化し、星状にする構成でもよい。
環状固形物（ガイド）（３３）と同様の効果が認められるほかに、星状の谷部を空気が通り抜けることで、空気抵抗を減少させることができる。
【考案の効果】
【００５１】
本考案は、摩擦抵抗の小さいテフロン(登録商標)シート等のポリフッ化エチレンシート（２）から構成されて、上述のような構成であるので、次のような技術的効果が顕著である。
【００５２】
第一に、ウエットスーツの着用において、着にくかったウエットスーツが、ウエットスーツ着用補助具（１）を使用することで、乾いたままでも、その内部面との摩擦抵抗に抵抗されることなく、容易に着用ができる効果がある。
第二に、ウエットスーツ着用補助具（１）は、何度でも使用できる。
【００５３】
テフロン(登録商標)シート等のポリフッ化エチレンシート（２）は、表面が小摩擦抵抗で、ウエットスーツ裏地面に対しても摩擦抵抗が少なく、またその強度も手を痛めることがない程度に適当であり、接着性もそのシートの表裏で全く異なり、裏面を接合した周縁部においては十分な接着性を持ち、袋体を保つことができる。
表面はすべらかで、十分に耐久性がある補助具（１）になる。
【００５４】
ウエットスーツ着用時の摩擦面による抵抗で手足を痛める心配から開放され、幅広い年齢層のユーザーがこれまで感じていたウエットスーツを着用するときの困難感や違和感を解消できる。
【００５５】
又、前記で提案した補助具（１）の変形例では、先端部分である台形袋体上辺(３)に環状固形物（ガイド）(３３)を設けることによって、重心が移動し、ウエットスーツへの進入時に自然と先方にガイドされるので、手足からウエットスーツ着用補助具（１）がはずれてしまうことがおきにくくなり、また初期挿入がスムーズにおこなえる。
【００５６】
さらに、前記で提案した補助具（１）の変形例では、先端部分の近傍である台形ウエットスーツ用着用補助具(１)の内部に指を挿入できるように指挿入部（３１）を設けることによってウエットスーツ内により手足を通すことが容易になる。
指先にかかる負担を減らし、つめの損傷や、局所力を分散するので、破損しにくい効果もある。
【００５７】
先端部部である台形袋体上辺（３）に空気孔（３２）を設けた変形例では、ウエットスーツ着用補助具（１）によって分断された空気層の流れをスムーズにできる。
【００５８】
先端部分である台形袋体上辺（３）に星状固形物（ガイド）（３４）を設けた変形例では、空気の流れをスムーズにする。
この形状は、隙間と余裕ある大きさになるので摩擦力を減らす効果と共に、テフロン(登録商標)シート等のポリフッ化エチレンシート（２）の強度を高める効果もある。
【考案を実施するための最良の形態】
【００５９】
本考案に係るウエットスーツ着用補助具（１）を実施するための最良の形態は、テフロン(登録商標)シート等のポリフッ化エチレンシート（２）で、一方を開口した袋体に構成した形態である。
表裏面で摩擦係数の異なるテフロン(登録商標)シート等のポリフッ化エチレンシート（２）を用いて小摩擦係数面（２１）が表面となるようにしている。
裏面の大摩擦係数面（２２）を接着剤が付くように粗面化し、袋体になるように周端部を接着した構成である。
一方を開口した袋体に、手又は足を入れてウエットスーツの袖口或いは足首口を通し、手又は足が、ウエットスーツから出た状態で、袋体を外してウエットスーツを着用する。
【００６０】
この考案のウエットスーツ着用補助具（１）の特徴は、その素材として好ましくは表裏で摩擦係数の異なるテフロン(登録商標)（２）等により構成されており、ウエットスーツに挿入したときにその間で相対的に摩擦係数が少ないので、容易に挿入できることである。
裏面を薬品処理等で粗面化することで、接着可能になるので、コストもかからず接着性も部分的に非常に優れていて、袋体に加工することもでき、さらには耐久性も優れている。
【実施例１】
【００６１】
図１の実施例１は、ウエットスーツに足を通すための足用の補助具（１）であって、テフロン(登録商標)シート等のポリフッ化エチレンシート（２）を台形袋体に接着したウエットスーツ着用補助具（１）である。小摩擦係数面（２１）は表面を形成し、大摩擦係数面（２２）は袋体内部を構成する。
袋体は大摩擦係数面（２２）の端部が接するようにテフロン(登録商標)シート等のポリフッ化エチレンシート（２）を重ね合わせ、接着している。
【００６２】
台形袋体上辺（３）は緩やかに湾曲している。
一方を開口した袋体の長さは、本考案の特徴でもあり、およそ、手首又は足首が覆得る程度までの長さとしたものである。
例えば、長すぎると、ウエットスーツを貫通して足が露出した状態でも補助具（１）の後端がウエットスーツの内部に挟まってしまうので、補助具（１）の長さは足の踵が露出した状態で補助具（１）も一緒に露出する長さで十分だからである。
商品的には、サイズや色違いを数種備えることで、ニーズに対応できる。
【実施例２】
【００６３】
図２の実施例２は、テフロン(登録商標)シート等のポリフッ化エチレンシート（２）を台形袋体に接着したウエットスーツ着用補助具（１）であって、台形袋体上辺（３）近傍に環状固形物（ガイド）（３３）を設けたものである。
【実施例３】
【００６４】
図３の実施例３は、テフロン(登録商標)シート等のポリフッ化エチレンシート（２）を台形袋体に接着したウエットスーツ着用補助具（１）であって、台形袋体上辺（３）近傍に環状固形物（ガイド）（３３）を設け、さらに袋体内部の台形袋体上辺（３）近傍には足指を挿入するための指挿入部（３１）を設けたものである。
又台形袋体上辺（３）には空気孔（３２）が、指挿入部（３１）の各室ごとに設けられている。空気を後方に流してしまい、空気抵抗や音の発生を回避する。
【実施例４】
【００６５】
図４の実施例は、テフロン(登録商標)シート等のポリフッ化エチレンシート（２）を台形袋体に接着したウエットスーツ着用補助具（１）であって、台形袋体上辺（３）近傍に星状固形物（ガイド）（３４）を設けたものである。
星状固形物（ガイド）（３４）は、空気抜きとガイドの機能を持つもので、商品としてのデザインなどを考慮したものである。
なお、補助具（１）は、袋体であることが基本であり、その形状やデザインは前記実施例に限定されるものではない。
【００６６】
図５は、実施例１のウエットスーツ着用補助具（１）を足に装着し、ウエットスーツ内に挿入している状態を示すものである。
補助具（１）を装着して被覆された状態では、ウエットスーツの内部面との摩擦抵抗はきわめて小さく、足を入れて差し込んでも、引っかかりがなく、ウエットス−ツの足首口（４）の方向に容易に挿入することができる。
【００６７】
そして、図６はウエットスーツ着用補助具（１）を足に装着したかたちで、ウエットスーツ内を貫通直後の状態を示すものである。
補助具（１）自体も、あまり長くないので、足のくるぶしあたりが、足首口を通過すると、補助具（１）を装着した状態で、足が外に飛び出すことになる。
【００６８】
補助具（１）の長さは、３０Ｃｍ近傍が好ましく、具体的には大人用であればくるぶしあたりまであれば、十分にかつもっとも効率よくウエットスーツ内を貫通することができる。
そして、その長さであれば、貫通後に補助具（１）を足から外すことも容易である。
因みに図６は、補助具（１）の接着面が足の側面になっているがこの用法に限られるものではない。
例えば、側面に接着面を構成しないことも考えられるし、例えば補助具（１）は接着部のない円錐形により構成されることもある。
【産業上の利用可能性】
【００６９】
本考案にかかるウエットスーツ着用補助具は、ウエットスーツの着用時に手や足の挿入を容易にする補助具であるが、サーフィンなどのレジャー用に限らず、潜水作業用のウエットスーツ着用や、ドライスーツの着用にも利用できるものである。
ネオプレンゴムを利用したダイエット用被服の着用などにも利用できる。
【図面の簡単な説明】
【００７０】
【図１】ウエットスーツ着用補助具（１）の実施例１を示した斜視図である。
【図２】ウエットスーツ着用補助具（１）の実施例２を示した斜視図である。
【図３】ウエットスーツ着用補助具（１）の実施例３を示した斜視図である。
【図４】ウエットスーツ着用補助具（１）の実施例４を示した斜視図である。
【図５】実施例１のウエットスーツ着用補助具（１）を足に装着しウエットスーツ内に挿入している状態図である。
【図６】実施例１のウエットスーツ着用補助具（１）を足に装着し、ウエットスーツ内に挿入し、さらに貫通した直後の状態図である。
【符号の説明】
【００７１】
１      ウエットスーツ着用補助具
２      テフロン(登録商標)シート等のポリフッ化エチレンシート
２１    小摩擦係数面
２２    大摩擦係数面
３      台形袋体上辺
３１    指挿入部
３２    空気孔
３３    環状固形物（ガイド）
３４    星状固形物（ガイド）
４      足首口
５      足
【図１】
0003103338.tif 000003
【図２】
0003103338.tif 000004
【図３】
0003103338.tif 000005
【図４】
0003103338.tif 000006
【図５】
0003103338.tif 000007
【図６】
0003103338.tif 000008